(57)【特許請求の範囲】
【請求項１】
身体対向側および着衣対向側と、互いに対向する前後胴周り域およびそれら間の股下域と、ウエストホールおよび一対のレッグホールとを有するパンツ型の使い捨て着用物品において、
可撓性シャーシと、
第１，第２側縁および第１，第２端縁を有し、前記身体対向側に位置する半剛性吸収パネルとを備え、
一対の斜辺および底辺で画成されるほぼ台形およびほぼ三角形の一つを有する第１，第２タック側域が、前記股下域のほぼ中央域において前記第１，第２タック側域の頂点の各々が互いに対向するとともに前記底辺の各々が前記吸収パネルの前記第１，第２側縁に沿って位置した状態で、前記股下域の両側に設けられており、
前記第１，第２タック側域あるいは前記中央域の少なくともいずれか一方に、前記吸収パネルが存在する前記物品の残余の域のそれよりも低剛性にされている低剛性タック案内域を備え、
前記第１，第２タック側域が、前記斜辺の各々に沿って折り曲げられて前記一対のレッグホールから前記物品の内側へそれぞれタックされていることを特徴とする前記物品。
【請求項２】
前記シャーシが、前後部を有する環状の伸縮性ウエスト部材と、前後部を有するほぼＵ形の股下部材とからなり、前記股下部材が、前記身体対向側を画成する透液性内面シートと、前記着衣対向側を画成する不透液性外面シートとからなっていて、前記股下部材の前後部が、前記ウエスト部材の前後部にそれぞれ接合され、前記吸収パネルが、前記股下部材の内外面シートの間に介在している請求項１記載の物品。
【請求項３】
前記ウエスト部材が、少なくとも一層の通気性シートからなる請求項２記載の物品。
【請求項４】
弾性化サイドフラップが、前記吸収パネルの側縁に沿って備えられている請求項１ないし３のいずれかに記載の物品。
【請求項５】
前記弾性化サイドフラップが、内側へ倒された状態でその両端において固定されていて、その両端間の中間が、前記弾性化サイドフラップの収縮で前記内面シートからその上方へ離間する請求項４記載の物品。
【請求項６】
前記シャーシが、前記身体対向側を画成する透液性内面シートと、前記着衣対向側を画成する不透液性外面シートとからなり、前記吸収パネルが、前記内外面シートの間に介在している請求項１，３ないし５のいずれかに記載の物品。
【請求項７】
前記低剛性タック案内域として中央域に備えた低剛性タック案内中央域が、前記低剛性タック案内中央域における前記吸収パネルを部分的に除くことで低剛性になされている請求項１ないし６のいずれかに記載の物品。
【請求項８】
前記低剛性タック案内中央域が、前記低剛性タック案内中央域における前記吸収パネルの材料の坪量を前記吸収パネルの残余のそれよりも減少することで低剛性になされている請求項１ないし６のいずれかに記載の物品。
【請求項９】
前記吸収パネルが、低剛性前域を有し、前記低剛性前域が、前記前胴周り域における前記第１，第２タック側域の斜辺と前記吸収パネルの前記第１端縁との間の両側に位置し、前記低剛性前域の剛性が、前記吸収パネルが存在する前記物品の残余の域のそれよりも低くされている請求項１ないし８のいずれかに記載の物品。
【請求項１０】
前記吸収パネルが、低剛性後域を有し、前記低剛性後域が前記後胴周り域における前記第１，第２タック側域の斜辺と前記吸収パネルの前記第２端縁との間の両側に位置し、前記低剛性後域の剛性が、前記吸収パネルが存在する前記物品の残余の域のそれよりも低くされている請求項１ないし９のいずれかに記載の物品。
【請求項１１】
前記低剛性前後域が、前記低剛性前後域における前記吸収パネルを部分的に除くことで低剛性になされている請求項９又は１０記載の物品。
【請求項１２】
前記低剛性前後域が、前記低剛性前後域における前記吸収パネルの坪量を前記吸収パネルの残余のそれよりも減少することで低剛性になされている請求項９又は１０記載の物品。
【請求項１３】
前記低剛性タック案内域として第１，第２タック側域に備えた第１，第２低剛性タック案内側域が、前記第１，第２タック側域における前記吸収パネルの材料の坪量を前記吸収パネルの残余のそれよりも減少することで低剛性になされている請求項１ないし１２のいずれかに記載の物品。
【請求項１４】
前記シャーシが、少なくとも一層の通気性シートからなり、前記吸収パネルが、前記シャーシの身体対向側の少なくとも股下域に配置されており、前記吸収パネルが、透液性内面シートと、不透液性外面シートと、前記内外面シートの間に介在する半剛性の吸収コアとからなる請求項１記載の物品。
【請求項１５】
弾性化サイドフラップが、前記レッグホールの近傍における前記シャーシおよび前記吸収パネルにそれぞれ備えられている請求項１４記載の物品。
【請求項１６】
前記吸収パネルの前記弾性化サイドフラップが、内側へ倒された状態でその両端が固定されていて、前記両端間の中間が前記吸収パネルの前記弾性化サイドフラップの収縮で前記内面シートからその上方へ離間する請求項１５記載の物品。
【請求項１７】
ダーツが、前記吸収パネルが位置する域の適宜部位に設けられている請求項１ないし１６のいずれかに記載の物品。
【請求項１８】
前記ダーツが、前記第１，第２タック側域に設けられている請求項１７記載の物品。
【請求項１９】
前記ウエストホールが、弾性化されている請求項１ないし１８のいずれかに記載の物品。
【発明の詳細な説明】
【０００１】
【発明の属する技術分野】
本発明は、排泄物を吸収、保持する、おむつ、トレニングパンツなどのパンツ型の使い捨て着用物品に関する。
【０００２】
【従来の技術】
互いに対向する前胴周り域および後胴周り域と、それら胴周り域の間に位置する股下域とを備え、透液性内面シートおよび不透液性外面シートと、それらシートの間に介在して股下域から前後胴周り域へ向かって延びる吸収パネル／コアとから構成され、胴周り開口とその下方に一対の左右脚周り開口とが形成されたパンツ型の使い捨ておむつは公知である。
【０００３】
前記公知のおむつは、その股下域が物品の幅方向内方へ向かって弧を画いており、股下域の幅寸法が前後胴周り域のそれよりも小さく、前後胴周り域の連結を解除した展開平面形状が実質的に砂時計型を呈する。この物品では、吸収パネル／コアの両側縁部から幅方向外方へ延びる内面シートと外面シートとが左右脚周り開口を囲むサイドフラップを形成している。そのようなおむつとしては、特開平１１−１０４１７７号公報と特開平１１−１５５９０４号公報とに開示されている。
【０００４】
【発明が解決しようとする課題】
おむつでは、股下域の幅寸法が着用者の股間部のそれよりも大きいと、物品を着用したときに、股下域が着用者の股間部に納まらず、特に、内外面シートよりも高剛性であって所与厚みを有する吸収パネル／コアが股間部において嵩張り、おむつの着用中に違和感がある。おむつの股下域を着用者の股間部に納めるには、股下域の幅寸法を着用者の股間部のそれと同一または股間部のそれよりも小さくすればよい。しかし、股下域の幅寸法が小さくなるにしたがって、股下域に位置する吸収パネル／コアの幅寸法も小さくなるので、股下域における排泄物吸収機能が低下し、股下域から排泄物が漏れ易くなってしまう。
【０００５】
ちなみに、着用者の股間部の幅寸法は、概ね３０〜８０ｍｍの範囲にある。また、市販されているおむつの多くは、股下域における排泄物吸収機能の低下を防ぐため、股下域に位置する吸収パネルの最小幅寸法が概ね１００〜２００ｍｍの範囲にあり、サイドフラップを含む股下域の最小幅寸法が概ね１５０〜３００ｍｍの範囲にあるので、股下域の幅寸法が着用者の股間部の幅寸法よりも大きい。
【０００６】
本発明の課題は、股下域を着用者の股間部に納めることができ、着用中の違和感がなく、排泄物が股下域から漏れてしまうことがないおむつなどのパンツ型の使い捨て着用物品を提供することにある。
【０００７】
【課題を解決するための手段】
前記課題を解決するための本発明は、身体対向側および着衣対向側と、互いに対向する前後胴周り域およびそれら間の股下域と、ウエストホールおよび一対のレッグホールとを有するパンツ型の使い捨て着用物品に存する。
【０００８】
本発明の特徴とするところは、前記物品が、可撓性シャーシと、第１，第２側縁および第１，第２端縁を有し、前記身体対向側に位置する半剛性吸収パネルとを備え、一対の斜辺および底辺で画成されるほぼ台形およびほぼ三角形の一つを有する第１，第２タック側域が、前記股下域のほぼ中央域において前記第１，第２タック側域の頂点の各々が互いに対向するとともに前記底辺の各々が前記吸収パネルの前記第１，第２側縁の近傍に位置した状態で、前記股下域の両側に設けられており、前記第１，第２タック側域あるいは前記中央域の少なくともいずれか一方に、前記吸収パネルが存在する前記物品の残余の域のそれよりも低剛性にされている低剛性タック案内域を備え、前記第１，第２タック側域が、前記斜辺の各々に沿って折り曲げられて前記一対のレッグホールから前記物品の内側へそれぞれタックされていることにある。
【０００９】
【発明の実施の形態】
添付の図面を参照し、本発明に係るパンツ型の使い捨て着用物品の詳細を説明すると、以下のとおりである。
【００１０】
図１，２は、一例として示す着用物品としてのおむつ１Ａの斜視図と、第１および第２タック側域１９，２０をおむつ１Ａの内側に折り込む以前の状態で示すおむつ１Ａの斜視図とであり、図３は、おむつ１Ａの両側縁を分離した状態で示す図２のおむつ１Ａの部分破断展開斜視図である。図１，２では、胴周り方向を矢印Ｘ１、幅方向を矢印Ｘ２で示し、縦方向を矢印Ｙ、脚周り方向を矢印Ｚで示す。図３は、第１タック側域１９にダーツ２３を形成する以前の状態にある。
【００１１】
おむつ１Ａは、可撓性シャーシ１と、半剛性吸収パネル４とからなる。シャーシ１は、環状の伸縮性ウエスト部材１ａと、ほぼＵ形の股下部材１ｂとからなる。ウエスト部材１ａは、その両側部で接合された前後部材７ａ，７ｂからなる。股下部材１ｂは、身体対向側を画成する透液性内面シート２と、着衣対向側を画成する不透液性外面シート３とからなる。吸収パネル４は、内面シート２と外面シート３との間に介在してそれらシート２，３のうちの少なくとも一方の内面に接合されている。
【００１２】
おむつ１Ａは、互いに対向する前胴周り域３２および後胴周り域３４と、それら胴周り域３２，３４の間に位置する股下域３３とを有する。おむつ１Ａは、吸収パネル４の両側縁部４ａの外側に位置して股下域３３を脚周り方向へ延びるサイドフラップ５と、吸収パネル４の前後端縁部４ｂ，４ｃの外側に位置して前後胴周り域３２，３４を胴周り方向へ延びるエンドフラップ６とを有する。
【００１３】
ウエスト部材１ａは、通気性を有し、その胴周り方向中央部が前後胴周り域３２，３４に延びる股下部材１ｂの外面シート３の外面に接合され、側部７ｃ，７ｄが合掌状に重なり合い、縦方向へ間欠的に並ぶ多数の熱融着線９を介して接合されている。かくして、胴周り開口１０と一対の左右脚周り開口１１ａ，１１ｂとが画成されている。シャーシ１は、そのウエスト部材１ａの幅寸法が股下部材１ｂの幅寸法よりも大きく、その平面形状がほぼ実質的に砂時計型を呈する。
【００１４】
吸収パネル４は、股下域３３から前後胴周り域３２，３４へ向かって延びている。吸収パネル４は、フラッフパルプと高吸収性ポリマー粒子との混合物、または、フラッフパルプと高吸収性ポリマー粒子と熱可塑性合成樹脂繊維との混合物であり、所与厚みに圧縮されている。ゆえに、吸収パネル４は、シャーシ１よりも高剛性である。吸収パネル４は、それの型崩れやポリマー粒子の脱落を防止するため、全体がティッシュペーパーや親水性繊維不織布等の透液性シートに包被されていることが好ましい。ポリマー粒子としては、デンプン系、セルロース系、合成ポリマー系のものを使用することができる。
【００１５】
サイドフラップ５は、吸収パネル４の両側縁部４ａから幅方向外方へ延びる内面シート２と外面シート３とから形成されている。エンドフラップ６は、吸収パネル４の前後端縁部４ｂ，４ｃから縦方向外方へ延びるウエスト部材１ａの上端部から形成されている。サイドフラップ５には、脚周り方向へ延びる複数条の脚周り用弾性部材１２が伸長状態で取り付けられている。脚周り用弾性部材１２は、内面シート２の内面に固定されている。サイドフラップ５は、吸収パネル４の両側縁部４ａの外側において内面シート２の外面の側へ向かって折曲されていて、前後胴周り域３２，３４に位置する部分がおむつ１Ａの幅方向内方へ倒伏した状態でエンドフラップ６に固定されている。
【００１６】
なお、図示はしていないが、サイドフラップ５が内外面シート２，３とは別個のシートから形成され、そのシートが吸収パネル４の両側縁部４ａに取り付けられていてもよい。この場合、サイドフラップ５を形成するシートとしては、実質的に不透液性の疎水性繊維不織布、疎水性繊維不織布と不透液性プラスチックフィルムとを重ね合わせた複合シートのいずれかを使用することができる。
【００１７】
シャーシ１のウエスト部材１ａは、伸縮性かつ疎水性の２枚の繊維不織布１３，１４を互いに重ねることで形成され、それらの端部７ｅ，７ｆには、胴周り方向へ延びる複数条の胴周り用弾性部材１５が不織布１３，１４間に介在して伸長状態で取り付けられている。
【００１８】
股下域３３は、幅方向中央域３３ａと幅方向両側域３３ｂとを有する。股下域３３は、図２，３に一点鎖線で示すように、その幅方向中央域３３ａで交差する第１および第２仮想タック案内線１６，１７を有する。幅方向中央域３３ａには、吸収パネル４を部分的に除くことで低剛性タック案内中央域１８が画成されている。低剛性タック案内中央域１８の剛性は、吸収パネル４が介在するおむつ１Ａの残余の域の剛性よりも低くなっている。
【００１９】
第１仮想タック案内線１６は、前胴周り域３２の側に位置する左脚周り開口１１ａの周縁１１ａ１から後胴周り域３４の側に位置する右脚周り開口１１ｂの周縁１１ｂ２に向かって幅方向へ延びている。第２仮想タック案内線１７は、前胴周り域３２の側に位置する右脚周り開口１１ｂの周縁１１ｂ１から後胴周り域３４の側に位置する左脚周り開口１１ａの周縁１１ａ２に向かって幅方向へ延びている。
【００２０】
股下域３３は、左脚周り開口１１ａの周縁と第１および第２仮想タック案内線１６，１７に囲まれたほぼ台形の第１タック側域１９と、右脚周り開口１１ｂの周縁と仮想タック案内線１６，１７とに囲まれたほぼ台形の第２タック側域２０と、第１および第２仮想タック案内線１６，１７と前胴周り域３２との間に延びる前部域２１と、第１および第２仮想タック案内線１６，１７と後胴周り域３４との間に延びる後部域２２とに区分されている。したがって、第１、第２タック側域１９，２０のほぼ台形は、股下域３３において、第１および第２仮想タック案内線１６，１７を斜辺とし、吸収パネル４の各側縁４ａを底辺として画成され、その頂点が対向していることになる。
【００２１】
第１および第２タック側域１９，２０には、脚周り方向へ延びる一対のダーツ２３が形成されている。図３では、第１タック側域１９にダーツ２３を設けるための部位２４が形成されている。部位２４は、おむつ１Ａの幅方向内方へ向かって弧を画く接合線２５とおむつ１Ａの幅方向外方へ向かって弧を画く接合線２６との間に延び、その形状が紡錘型を呈する。ダーツ２３は、それら接合線２５，２６を矢印Ｖの方向へ引き寄せ、それら接合線２５，２６近傍を固着することにより作ることができる。ダーツ２３が形成された第１および第２タック側域１９，２０では、部位２４がおむつ１Ａの下方へ向かって延びている。
【００２２】
吸収パネル４の両側縁部４ａの内側には、各一対の低剛性前後域２７，２８が形成されている。低剛性前域２７は、股下域３３の幅方向中央域３３ａと前胴周り域３２に位置する吸収パネル４の前端縁部４ｂとの間に形成され、低剛性タック案内中央域１８から吸収パネル４の前端縁部４ｂに向かって脚周り方向へ延びている。低剛性後域２８は、股下域３３の幅方向中央域３３ａと後胴周り域３４に位置する吸収パネル４の後端縁部４ｃとの間に形成され、低剛性タック案内中央域１８から吸収パネル４の後端縁部４ｃに向かって脚周り方向へ延びている。低剛性前後域２７，２８は、吸収パネル４を部分的に除くことで低剛性に画成されている。この低剛性前後域２７，２８の剛性は、吸収パネル４が介在するおむつ１Ａの残余のそれよりも低くなっている。
【００２３】
第１および第２タック側域１９，２０は、第１および第２仮想タック案内線１６，１７とを介して折曲され、前後部域２１，２２の間に介在するように、ダーツ２３とともに左右脚周り開口１１ａ，１１ｂからおむつ１Ａの内側に向かって折り込まれている。
【００２４】
図３の展開斜視図から図１のおむつ１Ａを組立てるには、内面シート２を内側にしておむつ１Ａを二点鎖線で示す中心線Ｌで折曲し、シャーシ１のウエスト部材１ａの側部７ｃ，７ｄを連結してシャーシ１を環状に形成する。次に、第１および第２タック側域１９，２０を第１および第２仮想タック案内線１６，１７を介して折曲し、図２に矢印Ｗで示すように、それら第１および第２タック側域１９，２０を左右脚周り開口１１ａ，１１ｂからおむつ１Ａの内側に折り込めばよい。
【００２５】
図３に示すように、第１および第２仮想タック案内線１６，１７とがなす角度θが６０〜９０°の範囲にあることが好ましい。角度θが６０°未満の場合では、折り込まれた第１および第２タック側域１９，２０が着用者の股間部に合致せず、股下域３３を着用者の股間部に納めることが難しい。角度θが９０°を越えると、第１および第２仮想タック案内線１６，１７がウエスト部材１ａの側部７ｃ，７ｄにまで延び、側部７ｃ，７ｄがおむつ１Ａの幅方向内方へ折り込まれてしまう。
【００２６】
図４，５は、図１のＡ−Ａ線矢視断面図と、図１のＢ−Ｂ線端面図とである。おむつ１Ａでは、ほぼ台形の第１および第２タック側域１９，２０にダーツ２３が形成されており、第１および第２タック側域１９，２０が第１および第２仮想タック案内線１６，１７を介してタックされて左右脚周り開口１１ａ，１１ｂからおむつ１Ａの内側に折り込まれているので、ダーツ２３を形成せずかつ第１および第２タック側域１９，２０を折り込む以前よりも股下域３３の幅寸法を小さくすることができる。おむつ１Ａを着用したときに、股下域３３が着用者の股間部に納まり、着用したおむつ１Ａに対する違和感がない。
【００２７】
股下域３３の幅方向中央域３３ａに低剛性タック案内中央域１８を形成しているので、幅方向中央域３３ａの剛性は吸収パネル４が介在するおむつ１Ａの残余域のそれよりも低い。したがって、幅方向中央域３３ａが着用者の股間部に当接したときの違和感を低減することができる。
【００２８】
おむつ１Ａの着用時では、前後胴周り域３２，３４が着用者の胴部に沿ってほぼ環状に変形すると、吸収パネル４が、低剛性前後域２７，２８を介して折れ曲がってほぼ環状に変形し、着用者の胴部の形状に適応し易く、着用者の肌に密着する。
【００２９】
図４に示すように、第１および第２タック側域１９，２０が左右脚周り開口１１ａ，１１ｂからおむつ１Ａの内側に折り込まれることによって、第１および第２タック側域１９，２０が上方へ向かって起立する。起立したそれら第１および第２タック側域１９，２０が排泄物に対する障壁を形成するので、股下域３３からの排泄物の漏れを防ぐことができる。股下域３３の幅寸法を小さくしたとしても、第１および第２タック側域１９，２０に位置する吸収パネル４が排泄物を吸収、保持するので、股下域３３における排泄物吸収機能が低下することはない。
【００３０】
図５に示すように、第１および第２タック側域１９，２０は、折り込まれたときに、それら域１９，２０において外面シート３の外面どうしが互いに重なり合う。また、第１および第２タック側域１９，２０は、折り込み形態を維持するため、それら域１９，２０において互いに重なり合う外面シート３の外面どうしを固定してもよい。また、第１および第２タック側域１９，２０を折り込んだ状態では、第１および第２タック側域１９，２０の折り込み形態を維持するため、第１タック側域１９に延びる内面シート２の外面と前後部域２１，２２に延びる内面シート２の外面とを重ね合わせるとともに、第２タック側域２０に延びる外面シート３の外面と前後部域２１，２２に延びる内面シート２の外面とを重ね合わせ、それら域１９，２０，２１，２２において互いに重なり合う内面シート２の外面どうしを固定してもよい。
【００３１】
なお、図示はしていないが、低剛性タック案内中央域１８が股下域３３の幅方向中央域３３ａのみならず、股下域３３の幅方向両側域３３ｂに形成されていてもよい。この場合では、第１および第２タック側域１９，２０の左右脚周り開口１１ａ，１１ｂからおむつ１Ａの内側への折り込みが一層容易になる。
【００３２】
図６，７は、他の実施の形態を示すおむつ１Ｂの斜視図と、第１および第２タック側域１９，２０を左右脚周り開口１１ａ，１１ｂからおむつ１Ａの内側に折り込む以前の状態で示すおむつ１Ｂの斜視図とであり、図８は、前後胴周り域３２，３４の連結を解いた状態で示す図６のおむつ１Ｂの部分破断展開斜視図である。図６，７では、胴周り方向を矢印Ｘ１、幅方向を矢印Ｘ２で示し、縦方向を矢印Ｙ、脚周り方向を矢印Ｚで示す。図８は、第１タック側域１９にダーツ２３を形成する以前の状態にある。
【００３３】
このおむつ１Ｂは、可撓性シャーシ１と、半剛性吸収パネル４とからなる。シャーシ１は、身体対向側を画成する透液性内面シート２と、着衣対向側を画成する不透液性外面シート３とからなり、吸収パネル４が内外面シート２，３に介在し、股下域３３に一点鎖線で示す第１および第２仮想タック案内線１６，１７とが形成されている点において図１のおむつ１Ａと同一である。ただし、おむつ１Ｂでは、シャーシ１は、おむつ１Ａのウエスト部材１ａと股下部材１ｂとが連続する内外面シート２，３で形成されている。また、第１および第２タック側域はほぼ三角形に形成されている。
【００３４】
おむつ１Ｂは、図７に示すように、股下域３３の幅寸法が前後胴周り域３２，３４の幅寸法よりも小さく、その平面形状が実質的に砂時計型を呈する。
【００３５】
股下域３３のサイドフラップ５には、脚周り方向へ延びる複数条の脚周り用弾性部材１２が伸長状態で取り付けられている。エンドフラップ６には、胴周り方向へ延びる複数条の胴周り用弾性部材１５が伸長状態で取り付けられている。脚周り用弾性部材１２と胴周り用弾性部材１５とは、内外面シート２，３の間に介在し、それらシート２，３の内面に固定されている。
【００３６】
前後胴周り域３２，３４を縦方向へ延びるサイドフラップ５は、合掌状に重なり合い、縦方向へ間欠的に並ぶ多数の熱融着線９を介して接合されている。かくして、胴周り開口１０と一対の左右脚周り開口１１ａ，１１ｂとが画成されている。
【００３７】
おむつ１Ａとは異なり、おむつ１Ｂでは、股下域３３の幅方向中央域３３ａと低剛性前後域２７，２８とに吸収パネル４が存在している。股下域３３の幅方向中央域３３ａには、そこにおける剛性がおむつ１Ｂの吸収パネル４が存在する残余域のそれよりも低い低剛性タック案内中央域１８が画成されている。また、低剛性前後域２７，２８は、そこにおける剛性がおむつ１Ｂの吸収パネル４が存在する残余域のそれよりも低い剛性になっている。
【００３８】
低剛性前後域２７，２８の剛性は、吸収パネル４の坪量を吸収パネル４の残余域のそれよりも低くし、吸収パネル４の厚み寸法を吸収パネル４の残余域のそれよりも小さくすることで与えられている。
【００３９】
第１および第２タック側域１９，２０は、第１および第２仮想タック案内線１６，１７を介してタックされ、前後域２１，２２との間に介在するように、ダーツ２３とともに左右脚周り開口１１ａ，１１ｂからおむつ１Ｂの内側に向かって折り込まれている。
【００４０】
図８の展開斜視図から図６のおむつ１Ｂを組立てるには、内面シート２を内側にしておむつ１Ｂを中心線Ｌで折曲し、前後胴周り域３２，３４を互いに連結する。次に、第１および第２タック側域１９，２０を第１および第２仮想タック案内線１６，１７を介して折曲し、図７に矢印Ｗで示すように、それら域１９，２０を左右脚周り開口１１ａ，１１ｂからおむつ１Ｂの内側に折り込めばよい。
【００４１】
第１および第２タック側域１９，２０は、ダーツ２３が形成されており、第１および第２仮想タック案内線１６，１７を介して折曲されて左右脚周り開口１１ａ，１１ｂからおむつ１Ｂの内側に折り込まれているので、図１のおむつ１Ａと同様に、股下域３３の幅寸法を小さくすることができる。おむつ１Ｂを着用したときに、股下域３３が着用者の股間部に納まり、着用したおむつ１Ｂに対する違和感がない。
【００４２】
第１および第２タック側域１９，２０は、胴周り開口上方ヘ起立し、排泄物に対する障壁を形成するので、股下域３３からの排泄物の漏れを防ぐことができる。股下域３３の幅寸法を小さくしたとしても、股下域３３の幅方向中央域３３ａと第１および第２タック側域１９，２０とに位置する吸収パネル４が排泄物を吸収、保持するので、股下域３３における排泄物吸収機能が低下することはない。
【００４３】
おむつ１Ｂの着用時では、図１のそれと同様に、吸収パネル４の両側縁部４ａが低剛性前後域２７，２８を介して折れ曲がって吸収パネル４が着用者の胴部に沿ってほぼ環状に変形し、吸収パネル４が介在する物品１Ｂの当該域が着用者の胴部の形状に適応し易く、着用者の肌に密着する。
【００４４】
なお、図示はしていないが、低剛性タック案内中央域１８が股下域３３の幅方向中央域３３ａのみならず、股下域３３の幅方向両側域３３ｂに形成されていてもよい。この場合では、第１および第２タック側域１９，２０の左右脚周り開口１１ａ，１１ｂからおむつ１Ｂの内側への折り込みが一層容易になる。
【００４５】
図９，１０は、他の実施の形態を示すおむつ１Ｃの斜視図と、第１および第２タック側域１９，２０を左右脚周り開口１１ａ，１１ｂからおむつ１Ｃの内側に折り込む以前の状態で示すおむつ１Ｃの斜視図とであり、図１１は、前後胴周り域３２，３４の連結を解除した状態で示す図１０の物品１Ｃの部分破断展開斜視図である。図９，１０では、胴周り方向を矢印Ｘ１、幅方向を矢印Ｘ２で示し、縦方向を矢印Ｙ、脚周り方向を矢印Ｚで示す。
【００４６】
このおむつ１Ｃは、シャーシ１と、半剛性吸収パネル４とからなる。シャーシ１は、互いに接合された内外側シート３６ａ，３６ｂからなる。吸収パネル４は、身体対向側を画成する透液性内面シート２と、着衣対向側を画成する不透液性外面シート３と、内外面シート２，３との間に介在してそれらシート２，３のうちの少なくとも一方の内面に固定された吸収コア４４とからなり、外面シート３を介してシャーシ１の内側シート３６ａに固定されている。シャーシ１は通気性を有し、その平面形状は内外面シート２，３のそれよりも大きく、ほぼ砂時計型を呈する。
【００４７】
おむつ１Ｃは、互いに対向する前胴周り域３２および後胴周り域３４と、それら胴周り域３２，３４の間に位置する股下域３３とを有する。おむつ１Ｃは、コア４４の両側縁部４４ａの外側に位置して脚周り方向へ延びるサイドフラップ５ａ，５ｂと、コア４４の前後端縁部４４ｂ，４４ｃの外側に位置して前後胴周り域３２，３４を胴周り方向へ延びるシャーシ１のエンドフラップ６とを有する。
【００４８】
サイドフラップ５ａは、コア４４の両側縁部４４ａから幅方向外方へ延びる内外面シート２，３の部分から、サイドフラップ５ｂは、コア４４の両側縁部４４ａから幅方向へ延びるシャーシ１の部分から、それぞれ形成されている。エンドフラップ６は、シャーシ１の端部３６ｄから形成されている。内外面シート２，３から形成されたサイドフラップ５ａには、脚周り方向へ延びる複数条の脚周り用弾性部材１２が伸長状態で取り付けられている。
【００４９】
シャーシ１は、側部３６ｃが合掌状に重なり合い、側部３６ｃが縦方向へ間欠的に並ぶ多数の熱融着線９を介して接合されている。かくして、胴周り開口１０と一対の左右脚周り開口１１ａ，１１ｂとが画成されている。
【００５０】
シャーシ１を形成する内外側シート３６ａ，３６ｂは、実質的に非伸縮性の疎水性繊維不織布である。シャーシ１の端部３６ｄには、胴周り方向へ延びる複数条の胴周り用弾性部材４０が伸長状態で取り付けられている。シャーシ１の股下域３３に延びる側部３６ｃには、脚周り方向へ延びる複数条の脚周り用弾性部材４１が伸長状態で取り付けられている。
【００５１】
股下域３３には、図１０，１１に一点鎖線で示すように、幅方向へ延びる第１および第２仮想タック案内線１６，１７を有する。股下域３３の幅方向両側域３３ｂには、第１および第２低剛性タック案内側域１９，２０が画成されている。それら低剛性タック案内側域１９，２０の剛性は、それら域のコア４４の坪量を残余のコア４４のそれよりも低くし、それら域のコア４４の厚み寸法を残余のコア４４のそれよりも小さくすることで与えられている。
【００５２】
第１仮想タック案内線１６は、前胴周り域３２の側に位置する左脚周り開口１１ａの周縁１１ａ１と後胴周り域３４の側に位置する右脚周り開口１１ｂの周縁１１ｂ２とから股下域３３の幅方向中央域３３ａへ向かって延びている。第２仮想タック案内線１７は、前胴周り域３２の側に位置する右脚周り開口１１ｂの周縁１１ｂ１と後胴周り域３４の側に位置する左脚周り開口１１ａの周縁１１ａと２から股下域３３の幅方向中央域３３ａへ向かって延びている。
【００５３】
股下域３３における第１タック側域１９は、左脚周り開口１１ａの周縁と第１および第２仮想タック案内線１６，１７とに囲まれ、第２タック側域２０は、右脚周り開口１１ｂの周縁と第１および第２仮想タック案内線１６，１７とに囲まれることで、ほぼ三角形に画成されている。
【００５４】
コア４４には、各一対の低剛性前後域２７，２８が画成されている。低剛性前域２７は、股下域３３の幅方向中央域３３ａと前胴周り域３２に位置するコア４４の前端縁部４４ｂとの間を脚周り方向へ延びている。低剛性後域２８は、股下域３３の幅方向中央域３３ａと後胴周り域３４に位置するコア４４の後端縁部４４ｃとの間を脚周り方向へ延びている。それら低剛性前後域２７，２８の剛性は、それら域のコア４４の坪量を残余のコア４４のそれよりも低くし、それら域のコア４４の厚み寸法を残余のコア４４のそれよりも小さくすることで与えられている。
【００５５】
第１および第２低剛性タック案内側域１９，２０は、第１および第２仮想タック案内線１６，１７を介して折曲され、左右脚周り開口１１ａ，１１ｂからおむつ１Ｃの内側に向かって折り込まれている。おむつ１Ｃには、図１および図６に示すおむつ１Ａ，１Ｂと異なり、第１および第２低剛性タック案内側域１９，２０にダーツが形成されていない。
【００５６】
図１１の展開斜視図から図９のおむつ１Ｃを組立てるには、内面シート２を内側にしておむつ１Ｃを中心線Ｌで折曲し、シャーシ１の前後胴周り域３２，３４における側部３６ｃを連結する。次に、第１および第２低剛性タック案内側域１９，２０を第１および第２仮想タック案内線１６，１７を介して折曲し、図１０に矢印Ｗで示すように、それら域１９，２０を左右脚周り開口１１ａ，１１ｂからおむつ１Ｃの内側に折り込めばよい。
【００５７】
図１２，１３は、図９のＣ−Ｃ線矢視断面図と、図９のＤ−Ｄ線端面図とである。第１および第２低剛性タック案内側域１９，２０が第１および第２仮想タック案内線１６，１７を介して折曲されて左右脚周り開口１１ａ，１１ｂからおむつ１Ｃの内側に折り込まれているので、図１および図６に示すおむつ１Ａ，１Ｂと同様に、股下域３３の幅寸法を小さくすることができる。おむつ１Ｃを着用したときに、股下域３３が着用者の股間部に納まり、着用した物品１Ｃに対する違和感がない。
【００５８】
おむつ１Ｃでは、図９に示すように、第１および第２低剛性タック案内側域１９，２０は、上方へ向かって起立して排泄物に対する障壁を形成するので、股下域３３からの排泄物の漏れを防ぐことができる。股下域３３の幅寸法を小さくしたとしても、股下域３３の幅方向中央域３３ａと第１および第２低剛性タック案内側域１９，２０とに位置するコア４４が排泄物を吸収、保持するので、股下域３３における排泄物吸収機能が低下することはない。
【００５９】
おむつ１Ｃの着用時では、コア４４の両側縁部４４ａが低剛性前後域２７，２８を介して折れ曲がり、コア４４が着用者の胴部に沿ってほぼ環状に変形するので、コア４４が介在する物品１Ｃの当該域が着用者の胴部の形状に適応し易く、着用者の肌に密着する。
【００６０】
図１，６のおむつ１Ａ，１Ｂでは、第１および第２タック側域１９，２０にダーツ２３を形成しなくてもよい。それら図示のおむつ１Ａ，１Ｂ，１Ｃでは、低剛性前後域２７，２８のうちのいずれか一方が形成されていてもよく、それら低剛性前後域２７，２８が形成されていなくてもよい。
【００６１】
内面シート２には、親水性繊維不織布、多数の開孔を有する疎水性繊維不織布、微細な多数の開孔を有するプラスチックフィルムのいずれかを使用することができる。
【００６２】
外面シート３には、実質的に非伸縮性の疎水性繊維不織布や実質的に非伸縮性の通気不透液性プラスチックフィルム、前記疎水性繊維不織布を重ね合わせた複合不織布、前記疎水性繊維不織布と前記通気不透液性プラスチックフィルムとを重ね合わせた複合シートのいずれかを使用することができる。ウエスト部材１ａには、外面シート３と同一のシート素材を使用することもできる。シャーシ１には、実質的に非伸縮性の疎水性繊維不織布や実質的に非伸縮性の通気不透液性プラスチックフィルム、前記疎水性繊維不織布と前記通気不透液性プラスチックフィルムとを重ね合わせた複合シートのいずれかを使用することもできる。外面シート３、ウエスト部材１ａ，シャーシ１には、高い耐水性を有するメルトブローン法による繊維不織布の両面を、高い強度と優れた柔軟性とを有するスパンボンド法による繊維不織布で挟んだ複合不織布を使用することもできる。
【００６３】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００６４】
シャーシ１には、伸縮性かつ疎水性の繊維不織布や伸縮性かつ不透液性のプラスチックフィルム、伸縮性かつ疎水性の繊維不織布と伸縮性かつ不透液性のプラスチックフィルムとを重ね合わせた複合シートのいずれかを使用することもできる。伸縮性の繊維不織布としては、メルトブローンやスパンボンドの各製法により製造されたものを使用することができる。伸縮性の不織布の構成繊維には、熱可塑性エラストマー樹脂を溶融、紡糸した伸縮性繊維を使用することができる。
【００６５】
シャーシ１には、熱可塑性エラストマー樹脂繊維からなる伸縮性かつ疎水性の繊維不織布の少なくとも片面に、ポリプロピレン、ポリエチレン、ポリエステル、のいずれかの熱可塑性合成樹脂を溶融、紡糸した捲縮繊維からなる疎水性繊維不織布を重ね合わせた複合不織布を使用することもできる。
【００６６】
内面シート２と外面シート３との接合、外面シート３に対するウエスト部材１ａの固定、内外面シート２，３に対する吸収パネル４／コア４４の固定、それら部材１ａ，シート２，３，シャーシ１（物品１Ｃ）に対する弾性部材１２，１５，４０，４１の固定には、ホットメルト型接着剤、または、ヒートシールやソニックシール等の熱による溶着手段を利用することができる。
【００６７】
【発明の効果】
本発明にかかるおむつなどのパンツ型の使い捨て着用物品によれば、股下域の第１タック側域と第２タック側域とが左右脚周り開口から物品の内側に向かって折り込まれているので、股下域の幅寸法を従来技術の着用物品や市販の着用物品よりも小さくすることができる。この物品では、それを着用したときに、股下域が着用者の股間部に納まり、着用した物品に対する違和感がない。この物品では、第１および第２タック側域は、左右脚周り開口の内側に折り込まれることで、胴周り開口へ向かって起立して排泄物に対する障壁を形成するので、股下域からの排泄物の漏れを防ぐことができる。
【００６８】
股下域の幅方向中央部に位置する低剛性タック案内中央域と幅方向両側部に位置する低剛性タック案内側域とのうちの少なくとも一方に低剛性のタック案内域が画成された物品では、第１および第２タック側域の左右脚周り開口の内側への折り込みが一層容易になる。
【００６９】
股下域を脚周り方向へ延びる一対のダーツが第１および第２タック側域に形成された物品では、股下域の幅方向の寸法を一層小さくすることができる。
【００７０】
低剛性の低剛性前後域が形成された物品では、その着用時に、それら低剛性前後域を介して吸収パネル／コアの両側縁部が折れ曲がり、シャーシや内外面シートよりも高剛性の吸収パネル／コアが、着用者の胴部に沿ってほぼ環状に変形するので、これを着用者の胴部の形状に適応し易く、着用者の肌に密着させることができる。
【図面の簡単な説明】
【図１】  着用物品の一例としてのおむつの斜視図。
【図２】  第１および第２タック側域を左右脚周り開口の内側に折り込む以前の状態で示す図１のおむつの斜視図。
【図３】  シャーシの連結を解いた状態で示す図２のおむつの部分破断展開斜視図。
【図４】  図１のＡ−Ａ線矢視断面図。
【図５】  図１のＢ−Ｂ線端面図。
【図６】  他の実施の形態を示すおむつの斜視図。
【図７】  第１および第２タック側域を左右脚周り開口から物品の内側に折り込む以前の状態で示す図６のおむつの斜視図。
【図８】  前後胴周り域の連結を解いた状態で示す図６のおむつの部分破断展開斜視図。
【図９】  他の実施の形態を示すおむつの斜視図。
【図１０】  第１および第２タック側域を左右脚周り開口から物品の内側に折り込む以前の状態で示す図９のおむつの斜視図。
【図１１】  前後胴周り域の連結を解いた状態で示す図１０のおむつの部分破断展開斜視図。
【図１２】  図９のＣ−Ｃ線矢視断面図。
【図１３】  図９のＤ−Ｄ線端面図。
【符号の説明】
１Ａ          おむつ
１Ｂ          おむつ
１Ｃ          おむつ
１            シャーシ
２            透液性内面シート
３            不透液性外面シート
４            吸収パネル
４ａ          両側縁部
４ｂ          前端縁部
４ｃ          後端縁部
１０            胴周り開口
１１ａ          左脚周り開口
１１ｂ          右脚周り開口
１８            低剛性タック案内中央域
１９            第１タック側域（第１低剛性タック案内側域）
２０            第２タック側域（第２低剛性タック案内側域）
２３            ダーツ
２７            低剛性前域
２８            低剛性後域
３２            前胴周り域
３３            股下域
３３ａ          幅方向中央域
３３ｂ          幅方向両側域
３４            後胴周り域
４４            コア
【図１】
0003978363.tif 000002
【図２】
0003978363.tif 000003
【図３】
0003978363.tif 000004
【図４】
0003978363.tif 000005
【図５】
0003978363.tif 000006
【図６】
0003978363.tif 000007
【図７】
0003978363.tif 000008
【図８】
0003978363.tif 000009
【図９】
0003978363.tif 000010
【図１０】
0003978363.tif 000011
【図１１】
0003978363.tif 000012
【図１２】
0003978363.tif 000013
【図１３】
0003978363.tif 000014